(57)【特許請求の範囲】
【請求項１】
内視鏡を収容する槽型の洗浄消毒槽と、
前記洗浄消毒槽を開閉自在なカバーと、
前記カバーが前記洗浄消毒槽を覆った閉状態で前記カバーをロックするロック部と、
前記カバーが閉状態になるのと連動して前記カバーが所定幅以上に開くことを抑制する開放抑制部と、
前記開放抑制部による抑制を解除する解除信号を外部から入力自在なインターフェースと、
前記インターフェースから前記解除信号が入力された際に前記開放抑制部による抑制を解除する解除部と、
を備えたことを特徴とする内視鏡リプロセス装置。
【請求項２】
前記洗浄消毒槽内の内視鏡を衛生化する衛生部と、前記衛生部の作動状態を検知する衛生化状態検知部とを有し、
前記解除部は、前記衛生化状態検知部が前記衛生部の作動の終了を検出した際に前記開放抑制部による抑制を解除することを特徴とする請求項１記載の内視鏡リプロセス装置。
【請求項３】
前記カバーが開状態から閉状態となったことを検知する閉状態検知部と、内視鏡情報を読み取る内視鏡情報読取部とを有し、
前記開放抑制部は、前記内視鏡情報読取部が前記内視鏡情報を読み取った後に前記閉状態検知部が前記カバーの閉状態を検知した場合に前記抑制を行うことを特徴とする請求項１記載の内視鏡リプロセス装置。
【請求項４】
前記開放抑制部は、前記ロック部に設けられ、前記ロック部をロックして前記カバーが所定幅以上に開くことを抑制することを特徴とする請求項１記載の内視鏡リプロセス装置。
【発明の詳細な説明】
【技術分野】
【０００１】
本発明は、すすぎ、洗浄、消毒等の処理を行って内視鏡をリプロセスする内視鏡リプロセス装置に関する。
【背景技術】
【０００２】
内視鏡リプロセス装置を用いて内視鏡を洗浄消毒する際は、先ず、洗浄消毒槽に使用済みの内視鏡を収容して内視鏡の口金に各種チューブを接続した後、カバーを閉じてスタートボタンを押す。その後、洗浄消毒行程がスタートし、一定時間経過後、洗浄消毒行程が終了する。最後に、操作者は、カバーを開け、洗浄消毒済みの内視鏡を取り出す。【０００３】
ここで、上述した洗浄消毒行程において、使用済みの内視鏡が洗浄消毒槽に収容され、カバーが閉じられた後、若しくは、カバーを開けっ放しの状態でスタートボタンが押されずに長時間放置されてしまう場合がある。【０００４】
このような場合、内視鏡を洗浄消毒槽に収容した操作者とは別の操作者によって洗浄消毒前の内視鏡が持ち出されてしまう可能性があるため、洗浄消毒槽から持ち出した操作者に内視鏡が洗浄消毒前であることを知らせる機能が求められていた。【０００５】
このような事情に鑑み、日本国特開２００３−２３５７９３号公報の内視鏡洗浄消毒装置は、洗浄消毒行程終了後、内視鏡に洗浄消毒済みである情報を送信する機能を有している。そして、内視鏡の使用に際し、内視鏡を検査室または手術室のプロセッサに接続した際、プロセッサ内のマイコンが、内視鏡から洗浄消毒済みであるか否かの情報を受け取り、洗浄消毒済みでない内視鏡が接続された場合は警告を発する機能を有している。これにより、操作者に内視鏡が洗浄消毒前であることを知らせる。【０００６】
しかしながら、日本国特開２００３−２３５７９３号公報に開示されたシステムでは、洗浄消毒槽から持ち出した内視鏡を検査室または手術室のプロセッサに接続するまで、内視鏡が洗浄消毒済みであるか否かを操作者は判別することができないといった課題があった。【０００７】
本発明は上記事情に鑑みてなされたもので、操作者による洗浄消毒処理等のリプロセス前の内視鏡の持ち出しを防止することができる内視鏡リプロセス装置を提供することを目的としている。
【発明の開示】
【課題を解決するための手段】
【０００８】
本発明の一態様による内視鏡リプロセス装置は、内視鏡を収容する槽型の洗浄消毒槽と、前記洗浄消毒槽を開閉自在なカバーと、前記カバーが前記洗浄消毒槽を覆った閉状態で前記カバーをロックするロック部と、前記カバーが閉状態になるのと連動して前記カバーが所定幅以上に開くことを抑制する開放抑制部と、前記開放抑制部によるロックを解除する解除信号を外部から入力自在なインターフェースと、前記インターフェースから前記解除信号が入力された際に前記開放抑制部によるロックを解除する解除部とを備えた。
【図面の簡単な説明】
【００１０】
【図１】本発明の実施の第１形態による、内視鏡洗浄消毒装置の斜視図である。
【図２】本発明の実施の第１形態による、内視鏡洗浄消毒装置の機能部分の構成の概略説明図である。
【図３】本発明の実施の第１形態による、内視鏡洗浄消毒装置の制御部の概略を示す説明図である。
【図４】本発明の実施の第１形態による、内視鏡洗浄消毒装置の内視鏡の洗浄消毒行程を示すフローチャートである。
【図５】本発明の実施の第１形態による、カバーを開状態とした際の洗浄消毒槽とカバーの構造の概略を説明する、図１中のＸ方向断面図である。
【図６】本発明の実施の第１形態による、カバーのロック機構の構成を説明する要部断面図である。
【図７】本発明の実施の第２形態による、内視鏡洗浄消毒装置の内視鏡の洗浄消毒行程を示すフローチャートである。
【図８】本発明の実施の第３形態による、カバーのロック機構の構成を説明する要部断面図である。
【発明を実施するための最良の形態】
【００１１】
（実施の第１形態）
以下、図面に基づいて本発明の実施の第１形態を説明する。  
図１において、符号１は内視鏡リプロセス装置としての内視鏡洗浄消毒装置を示し、この内視鏡洗浄消毒装置１は、装置本体２の上部にヒンジ３を介して開閉自在なカバー４が設けられて主要に構成されている。【００１２】
装置本体２の上面（以下「本体上面」と称する）２ａには、その底面５ａに洗浄消毒のために内視鏡９０を載置して収容自在な槽型の洗浄消毒槽（洗浄槽とも云う）５が配設されている。この洗浄消毒槽５は、上述のカバー４を開閉することにより開閉される。【００１３】
そして、装置本体２の洗浄消毒槽５に内視鏡９０を収容し、カバー４を閉じて洗浄消毒槽５を略覆った閉状態にした際に、ロック部７がカバー４のハンドル８に係止してカバー４を閉状態とする。ロック部７として、例えばラッチ構造が挙げられる。【００１４】
ロック部７は解除部８、１０によりロックを解除することが可能である。ロック解除部８、１０としてはワンアクションでロックを解除できるものが望ましく、例えば、操作者が回動動作をすることでロックを解除できるカバー４のハンドル８または装置本体２の下部に設けられ、踏み込み操作することで開くことが可能な操作ペダル１０が挙げられる。【００１５】
本発明の内視鏡リプロセス装置には、ロック部７とは別にカバー４の開放を抑制する開放抑制部６が設けられている。【００１６】
開放抑制部６はカバー４が所定幅以上に開くことを抑制する。ここでいう所定幅とは、ユーザーが洗浄槽から内視鏡を取り出せない、または取り出し難いと感じる幅であればよく、例えば３０ｃｍ〜０ｃｍが挙げられる。これにより、ユーザーが洗浄槽に納められている内視鏡がリプロセス前のものであることを気付く。【００１７】
実施の第１形態では開放抑制部６はロック部７に作用する。カバー４が閉状態になり、ロック部７がカバー４をロックすると、開放抑制部６はロック部７によるロックを固定し、ロック解除部８、１０を動かしても、ロック部７によるロックが解除されないようにする。【００１８】
開放抑制部６による抑制、つまり、実施の第１形態でいうところのロック部７への作用を解除するためには、開放抑制部６に接続されている解除部９に解除信号を入力する。【００１９】
前記解除信号の入力方法は解除部９の構造による。【００２０】
例えば、解除部９が電気的に開放抑制部６に作用するのであれば、解除部９はタッチパネルであり解除信号の入力としてはタッチパネルへのタッチが挙げられる。または解除部９はスイッチであり解除信号の入力はスイッチを押すことが挙げられる。【００２１】
例えば、解除部９が機械的に開放抑制部６に作用するのであれば、解除部９はレバー、ペダル、またはハンドルであり、解除信号の入力としてはこれらを動作させることである。【００２２】
図１では、解除部９としてタッチパネル９を開示している。【００２３】
タッチパネルは、解除部としての機能を有する他、内視鏡洗浄消毒装置１の作動状態、異常が生じた場合のエラー信号等を表示する表示機能を有していてもよい。更に、装置本体２を操作するためのインターフェースとしての操作パネルとしての機能を有していてもよい。尚、この操作パネル９は、装置本体２の側面や、カバー４に設けられているものであっても良い。【００２４】
更に、本体上面２ａには、内視鏡９０の情報を検出することにより内視鏡９０が洗浄消毒槽５に収容されたことを検知する内視鏡情報読取部として、例えば、ＲＦＩＤ（Radio Frequency IDentification）リーダ１０３が設けられており、内視鏡９０のコネクタ部等に内蔵（或いは、外付け）された図示しないＲＦＩＤタグ等から内視鏡９０の機種名や製造番号等の内視鏡に関する情報を読み込み自在になっている。尚、ＲＦＩＤリーダ１０３は、本体上面２ａ以外の部位に設けられるものであっても良く、また、この内視鏡情報を読み取るシステムは、他の、バーコード読み取りによるシステム、或いは、操作者によって入力する方法によっても実現可能である。【００２５】
また、装置本体２の任意の側面には、後述する側面扉２ｂが配設されている。更に、装置本体２の下部には、洗浄消毒槽５内の洗浄液、消毒液等を排出する排水ホース１４が連設されている。また、装置本体２には、洗浄消毒槽５内に給水を行う後述する給水コネクタ１５（図２参照）が設けられている。【００２６】
洗浄消毒槽５は、本体上面２ａの開口部分の縁部が略全周に亘って段状の段状部分１６が形成されている。そして、カバー４の内面の、この段状部分１６と対向する部分には、この段状部分１６の形状に沿って、カバー４を閉じた際にカバー４と洗浄消毒槽５とを水密にシールすると共に、カバー４を閉じる際のクッション性を保つためのパッキン部材１７が設けられている。尚、カバー４は、該カバー４を閉じた際に洗浄消毒槽５内が見えるように、中央の部位が透明の樹脂、ガラス材等で形成されている。【００２７】
また、本体上面２ａの、カバー４のハンドル８とパッキン部材１７との間の下面４ａと対向する部位には、該カバー４の下面４ａとの接触を検知することにより、カバー４が閉状態となったことを検知する閉状態検知部としての開閉検知部１０４が設けられている。【００２８】
更に、本体上面２ａには、後述する洗剤ノズル１１、消毒液ノズル１２、給水・循環ノズル１３が配設されている。これら各ノズル１１，１２，１３は、内視鏡洗浄消毒装置１における、内視鏡９０のすすぎ、洗浄、消毒処理等の衛生化を実行する衛生部としての洗浄消毒部１０６を構成するもので、以下、洗浄消毒部１０６について、図２を基に説明する。【００２９】
図２に示すように、装置本体２の内部には、液体洗剤を貯留する洗剤タンク２１、所定濃度に希釈された消毒液を貯留する消毒液タンク２２、アルコールを貯留するアルコールタンク２３、水道栓から供給される水道水を濾過する水フィルタ２４、及びエアフィルタ２５が配設されている。消毒液タンク２２は装置本体２内に固定されている。尚、符号２２ａは消毒液ドレーン口であり、通常は閉じられている。【００３０】
また、洗剤タンク２１、アルコールタンク２３、水フィルタ２４、エアフィルタ２５は、各々トレー２１ａ、２３ａ〜２５ａに載置されている。また、各トレー２１ａ、２３ａ〜２５ａは、装置本体２の側面扉２ｂ（図１参照）を開放することで、側方へ引き出し自在にされており、所定に液体を補充し、或いは、部品を交換することが自在となっている。【００３１】
本実施の形態では、消毒液タンク２２に消毒液を補充するに際しては、例えば、装置本体２の側面扉２ｂを開放し、装置内部に固設されているボトルコネクタ２６に対して、消毒液が充填されている消毒液ボトル２７を接続することで行う。【００３２】
また、その際、希釈弁２８を介して、水フィルタ２４によって濾過された水道水が消毒液タンク２２に供給される。従って、消毒液タンク２２には所定濃度に希釈された消毒液が貯留される。尚、図２には、各トレー２１ａ、２３ａ〜２５ａが引き出された状態が示されている。【００３３】
洗浄消毒槽５は、前述の如く内視鏡９０を収容自在であり、底面５ａに排水口３０が設けられている。更に、洗浄消毒槽５の外周壁面の一側面に循環口３１が設けられている。また、本体上面２ａの給水コネクタ１５が配設されている側の角部に洗剤ノズル１１、消毒液ノズル１２、給水・循環ノズル１３が配設されている。【００３４】
洗剤ノズル１１は、洗剤タンク２１に洗剤ポンプ３７を介して連通されており、消毒液ノズル１２は、薬液ポンプ３８を介して消毒液タンク２２に連通されている。また、給水・循環ノズル１３は、三方弁３９を介して水フィルタ２４と流液ポンプ４０とに選択的に接続自在になっている。【００３５】
給水・循環ノズル１３が、三方弁３９を介して水フィルタ２４側に接続された状態では、給水・循環ノズル１３から水フィルタ２４によって濾過された水道水が洗浄消毒槽５に吐出される。【００３６】
一方、給水・循環ノズル１３が、三方弁３９を介して流液ポンプ４０に接続された状態では、循環口３１から取り入れた洗浄消毒槽５に貯留されている洗浄水、或いは、消毒液が、再度、洗浄消毒槽５に吐出されて循環される。【００３７】
尚、図示しないが給水・循環ノズル１３と三方弁３９との間に高圧ノズルが高圧ポンプを介して接続されており、この高圧ノズルからも給水・循環ノズル１３と同様の液体（水道水、洗浄水）が高圧で洗浄消毒槽５に噴出される。【００３８】
この高圧ノズル、及び、給水・循環ノズル１３から吐出される液体により洗浄消毒槽５内に水流が発生し、この水流により内視鏡９０の外表面が、洗浄工程においては洗浄され、すすぎ工程においては洗浄液、或いは、消毒液が洗い流される。【００３９】
洗浄消毒槽５の外周壁面の他側面に、内視鏡９０に設けた図示しない管路コネクタ部に接続するコネクタ受け部４１が設けられている。コネクタ受け部４１に、１本の洗浄消毒チューブ５１ａが分岐接続されており、この洗浄消毒チューブ５１ａが四方弁から成るチャンネルブロック５２の吐出口に連通されている。【００４０】
また、チャンネルブロック５２の３つに分岐された各流入口には、循環口３１とアルコールタンク２３とコンプレッサ５４とが各々連通されている。また、循環口３１とチャンネルブロック５２との間に、循環口３１から流体（水道水、洗浄水、消毒液）を吸引するチャンネルポンプ５３が介装されている。【００４１】
更に、アルコールタンク２３とチャンネルブロック５２との間に、流路を開閉するアルコール弁５５、アルコールタンク２３に貯留されているアルコールを吸引するアルコールポンプ４５が介装されている。また、コンプレッサ５４とチャンネルブロック５２との間にエアフィルタ２５が介装されている。【００４２】
チャンネルブロック５２を切換え動作させて、各流入口を吐出口に対し選択的に連通させることで、内視鏡９０に、洗浄消毒槽５に貯留されている液体（水道水、洗浄水、消毒液）、或いは、アルコールタンク２３に貯留されているアルコール、或いは、コンプレッサ５４からのエアが供給される。【００４３】
また、コネクタ受け部４１に、漏水検知チューブ５１ｂを介して漏水検知ポンプ５６が接続されており、この漏水検知チューブ５１ｂに締切り弁５７が介装されている。内視鏡９０の外表面に小さな孔、亀裂等が開いているか否かを検知するに際しては、先ず、締切り弁５７を開放し、漏水検知ポンプ５６からのエアを内視鏡９０の内部に供給し、内圧を所定に高める。【００４４】
その後、締切り弁５７を閉弁させて、内視鏡９０の内圧を保持させる。そして、その間の内視鏡９０の内圧の変化から、内視鏡９０の外表面に小さな孔、亀裂等が開いているか否かを調べる。尚、符号５８は排気弁であり開弁することで、漏水検知ポンプ５６及びコンプレッサ５４からのエアを外部に逃がすことができる。【００４５】
また、洗浄消毒槽５に、超音波振動子５９、吸水管消毒用コネクタ６０、洗浄ケース６１等が所定に配設され、更に、排水口３０に切換弁６２が配設されている。超音波振動子５９は、洗浄消毒槽５に貯留される洗浄水、あるいは水道水に振動を与えて、内視鏡９０の外表面を超音波洗浄、或いは、濯ぐものである。【００４６】
吸水管消毒用コネクタ６０は、これに消毒液ノズル１２をホース等を介して接続し、水フィルタ２４に連通する給水管に消毒液を供給し、この給水管を消毒するものである。また、洗浄ケース６１は、これに内視鏡９０の各スコープスイッチのボタン等、内視鏡９０に併設されている取り外し可能な部品を収容して、内視鏡９０と一緒に洗浄、消毒させるものである。【００４７】
更に、排水口３０に配設されている切換弁６２は、排水時の排水路を切換えるもので、洗浄消毒槽５に水道水あるいは洗浄水が貯留されている場合は、排水口３０を排水ホース１４側に連通させて、排水ポンプ４４を駆動させて、強制的に排水させる。【００４８】
一方、洗浄消毒槽５に消毒液が貯留されている場合は、排水口３０を消毒液タンク２２側に連通させて、消毒済みの消毒液を消毒液タンク２２に回収する。従って、消毒液は繰り返し利用される。【００４９】
各弁３９、５２、５５、６２の切換え動作及び各種ポンプ３７、３８、４０、５３、５６の動作は、装置本体２に内蔵されている制御部６３にて制御される。【００５０】
次に、ロック機構６について、図５、図６を基に説明する。【００５１】
図５は、カバー４を開状態とした際の装置本体２上部の洗浄消毒槽５部分とカバー４の構造の概略を示し、装置本体２上部にヒンジ３を介して開閉自在に設けられたカバー４は、所定の大きな角度で開くことが可能となっている。そして、カバー４を一定角度以上開けると、開く方向に弱い付勢力が作用して、開いた状態を維持し、洗浄消毒槽５内に内視鏡９０が容易に収容自在となっている。この付勢力は、カバー４を一定角度よりも閉じた場合には、閉じる方向に弱く作用して、カバー４の閉じた状態を維持するようになっている。【００５２】
また、カバー４が開けられた状態では、カバー４のハンドル８に対応して設けられたラッチ７は外側に向けて先端が突出した状態となっている。すなわち、図６に示すように、装置本体２上部の洗浄消毒槽５部分に設けられるロック機構６は、ラッチ７が、電磁ロックスイッチ６ａから突出されたロッド６ｂにより、常時、外側（カバー４のハンドル８側）に向けて押圧付勢されて、ラッチ７の先端が突出されている。【００５３】
そして、このカバー４が開いた状態から、図６に示すように、カバー４を閉じようとすると、カバー４のハンドル８の移動により、ラッチ７が付勢力に抗して内側に押し込まれ、ハンドル８の先端側に形成された孔部８ａがラッチ７の略先端に達した際に、再びラッチ７は、このハンドル８の孔部８ａから外側に向けて突出する。【００５４】
こうして、制御部６３が、開閉検知部１０４からの信号により、カバー４が閉状態となったことを検知すると、電磁ロックスイッチ６ａが作動（ＯＮ）されてロッド６ｂが固定される。これにより、ラッチ７の先端がハンドル８の孔部８ａから外側に向けて突出された状態で固定されてハンドル８がロックされ、カバー４の閉じた状態が確実に維持されるようになっている。このロック機構６によるカバー４のロック状態は、操作者等により、操作パネル９からの解除（信号の）入力があった場合（ＯＦＦされた場合）に、制御部６３により解除される。このように、制御部６３は、解除部としての機能を有している。【００５５】
上述の内視鏡洗浄消毒装置１の制御部６３は、図３に示すように、ロック機構部６、７、操作パネル９、内視鏡情報読取部（ＲＦＩＤリーダ）１０３、開閉検知部１０４、洗浄消毒検知部１０５、洗浄消毒部１０６、電源部１３０が接続されて主要に構成されている。ここで、洗浄消毒検知部１０５は、洗浄消毒部１０６の作動状態（駆動状態、進行状態）を検知するもので、例えば、水位センサ、圧力センサ、温度センサや、その他のセンサから構成されるものである。【００５６】
そして、制御部６３は、開閉検知部１０４によりカバー４が閉じられたことが検出された際に、ロック機構６の電磁ロックスイッチ６ａに信号出力し、通常のハンドル８操作、或いは、操作ペダル１０の踏み込み操作ではカバー４が開けられない状態にロックする。その後、操作者が操作パネル９を操作して洗浄消毒等の行程の開始を入力すると、制御部６３は、入力された行程を、洗浄消毒部１０６を作動させて所定に実行させる。こうして洗浄消毒検知部１０５により洗浄消毒等の行程の完了が検知されると、制御部６３は、ロック機構６によるロックを解除して、操作パネル９に洗浄消毒等の行程の完了を表示する。【００５７】
以下、内視鏡洗浄消毒装置１の制御部６３で実行される内視鏡９０の洗浄消毒行程を、図４に示すフローチャートに従って説明する。【００５８】
まず、ステップ（以下、「Ｓ」と略称）１０１で、操作者は、内視鏡洗浄消毒装置１のカバー４を、例えば、ハンドル８を操作、或いは、操作ペダル１０を踏み込み操作することで開く。【００５９】
次に、Ｓ１０２に進み、操作者は、洗浄消毒槽５に洗浄消毒する内視鏡９０を収容してセットする。【００６０】
次いで、Ｓ１０３に進み、操作者は、カバー４を閉じる。【００６１】
そして、Ｓ１０４に進むと、制御部６３は、開閉検知部１０４からの信号を基に、カバー４が閉状態となったか否か判定し、カバー４が閉状態となったと判定した場合は、Ｓ１０５に進み、ロック機構６の電磁ロックスイッチ６ａを作動（ＯＮ）してカバー４を開放抑制状態とする。尚、Ｓ１０４で、カバー４が閉状態となったと判定し、所定時間経過後に、Ｓ１０５に進み、ロック機構６の電磁ロックスイッチ６ａを作動（ＯＮ）してカバー４を開放抑制状態とするようにしても良い。【００６２】
次いで、Ｓ１０６に進むと、操作パネル９から、操作者がロック機構の開放抑制解除要求があるか否か判定される。【００６３】
操作者がロック機構の解除要求が無い場合には、Ｓ１０６からＳ１０７に進み、操作パネル９上の洗浄消毒等の行程を選択する。【００６４】
そして、Ｓ１０８に進み、制御部６３は、選択（入力）された行程を、洗浄消毒部１０６を作動させて所定に実行させる。【００６５】
次いで、Ｓ１０９に進み、制御部６３は、洗浄消毒検知部１０５により洗浄消毒等の行程が完了したか否か判定し、行程が完了した場合は、Ｓ１１０に進み、ロック機構６によるロックをＯＦＦ（開放抑制解除）する。【００６６】
次に、Ｓ１１１に進み、制御部６３は、操作パネル９に洗浄消毒等の行程の完了を表示する。【００６７】
その後、Ｓ１１２に進んで、操作者は、例えば、ハンドル８を操作、或いは、操作ペダル１０を踏み込み操作することでカバー４を開き、Ｓ１１３に進み、内視鏡９０を洗浄消毒槽５から取り出し、内視鏡９０の洗浄消毒行程を終了する。【００６８】
一方、前述のＳ１０６で、何等かの事情（例えば、収容されている内視鏡の設定位置を、より良好な位置に変更する場合）により、操作者が、操作パネル９を操作してロック機構をＯＦＦ（開放抑制解除）する要求が有った場合は、Ｓ１１４に進み、制御部６３は、ロック機構６によるロックをＯＦＦ（開放抑制解除）する。【００６９】
そして、Ｓ１１５に進み、操作パネル９上に、洗浄消毒槽５の内視鏡９０は、洗浄消毒行程が未実行である旨を表示し、警報する。尚、この警報は、操作パネル９による視覚的表示に加え、音声やブザー等の聴覚的警報を同時に行っても良い。【００７０】
このように本発明の実施の第１形態によれば、開閉検知部１０４によりカバー４が閉じられたことが検出された際に、ロック機構６に信号出力し、通常のハンドル８操作、或いは、操作ペダル１０の踏み込み操作ではカバー４が開けられない状態にロックする。その後、操作者が操作パネル９を操作して洗浄消毒等の行程の開始を入力すると、制御部６３は、入力された行程を、洗浄消毒部１０６を作動させて所定に実行させる。こうして洗浄消毒検知部１０５により洗浄消毒等の行程の完了が検知されると、制御部６３は、ロック機構６によるロックを解除して、操作パネル９に洗浄消毒等の行程の完了を表示する。【００７１】
このように、カバー４が閉じられるとロック機構６が動作される。このため、内視鏡９０を洗浄消毒しようとして、内視鏡９０が洗浄消毒槽５に収容された場合に、たとえ洗浄消毒槽５に収容した人と、別の人であっても、また、収容した人の操作パネル９の操作し忘れ、確認ミスがあったような場合であっても、ロック機構６により開けられないようにカバー４がロックされているため、操作者による洗浄消毒処理等のリプロセス前の内視鏡９０の持ち出しを防止することが可能となる。【００７２】
また、何等かの事情によりカバーのロック状態を解除した場合には、操作パネル９により警報が行われるため、カバー４を開けようとする操作者は、洗浄消毒槽５に収容された内視鏡９０は洗浄消毒行程等が未実行のものであることを確実に認知することができる。【００７３】
（実施の第２形態）
次に、本発明の実施の第２形態を、図７を基に説明する。【００７４】
尚、本発明の実施の第２形態は、内視鏡９０を収容せずに、カバー４を閉じた場合には、カバー４をロックしないようにした構成が前記第１形態と異なり、他の構成、作用効果は、前記第１形態と同様であるので、同じ、構成には同じ符号を記し、説明は省略する。【００７５】
すなわち、図７の内視鏡９０の洗浄消毒行程のフローチャートにおいて、Ｓ１０１で、操作者は、内視鏡洗浄消毒装置１のカバー４を、例えば、ハンドル８を操作、或いは、操作ペダル１０を踏み込み操作することで開く。【００７６】
次いで、Ｓ２０１に進み、ＲＦＩＤリーダ１０３により、内視鏡９０の情報が読み込まれる。【００７７】
次に、Ｓ１０２に進み、操作者は、洗浄消毒槽５に洗浄消毒する内視鏡９０を収容してセットする。【００７８】
次いで、Ｓ１０３に進み、操作者は、カバー４を閉じる。【００７９】
次に、Ｓ２０２に進み、制御部６３は、ＲＦＩＤリーダ１０３で、内視鏡９０が認識されているか否か判定する。尚、Ｓ２０１の内視鏡情報読み取りの処理は、このＳ２０２の処理の前であれば良く、例えば、前述のＳ１０２の内視鏡を収容・セットすると同時に読み込むものであっても良い。【００８０】
Ｓ２０２の判定の結果、内視鏡９０が認識された場合は、Ｓ１０４に進み、制御部６３は、開閉検知部１０４からの信号を基に、カバー４が閉状態となったか否か判定し、カバー４が閉状態となったと判定した場合は、Ｓ１０５に進み、ロック機構６の電磁ロックスイッチ６ａを作動（ＯＮ）してカバー４を開放抑制状態とする。尚、Ｓ１０４で、カバー４が閉状態となったと判定し、所定時間経過後に、Ｓ１０５に進み、ロック機構６の電磁ロックスイッチ６ａを作動（ＯＮ）してカバー４を開放抑制状態とするようにしても良い。【００８１】
Ｓ１０５で、カバー４を開放抑制状態にした後は、Ｓ１０６以降に進み、前述の第１形態で説明した処理と同様の処理を行う。【００８２】
一方、前述のＳ２０２の判定の結果、内視鏡９０が認識されていない場合は、内視鏡９０が認識されるまで待機して、カバー４が閉じられても、カバー４がロックされないようにする。【００８３】
このように、本実施の第２形態によれば、ＲＦＩＤリーダ１０３が内視鏡情報を読み取った後に、開閉検知部１０４がカバー４の閉状態を検知した場合にロック機構６によるカバー４のロックを行う。このため、前述の第１形態の効果に加え、内視鏡９０が収容されていない状態で、カバー４が閉じられることがあってもロックが行われることがなく、内視鏡９０が収容されていないにも関わらず、誤って、カバー４が閉じられてカバー４がロックされるということが防止される。【００８４】
（実施の第３形態）
次に、本発明の実施の第３形態を、図８を基に説明する。【００８５】
尚、本発明の実施の第３形態は、ロック機構の形状（構成）を前述の第１形態とは変更して、ロック機構自身で、操作者により、カバーが閉じられたときの閉状態の検出（Ｓ１０４）と、カバーのロック機能（Ｓ１０５）が行えるようにしたものである。他の構成、作用効果は、前記第１形態と同様であるので、同じ、構成には同じ符号を記し、説明は省略する。【００８６】
すなわち、図８に示すように、本実施の第３形態によるロック機構８６は、装置本体２上部の洗浄消毒槽５部分に設けられ、ロッド８６ｂの先端に一体に形成されたラッチ８７が、スプリング８８により、常時、外側（カバー４のハンドル８側）に向けて押圧付勢されて、ラッチ８７の先端が突出されている。【００８７】
ラッチ８７のハンドル８と対向する面８７ａは、ハンドル８の孔部８ａから、次第にハンドル８から離間するように傾斜して形成されている。また、ラッチ８７のハンドル８をロックする側の面（図８中、底面）８７ｂは、ハンドル８の孔部８ａの下面の係止面８ｂに対して略直行する角度で形成されており、カバー４の開閉に伴うハンドル８の孔部８ａの移動軌跡に対して略直行するように形成されている。【００８８】
また、ロッド８６ｂには、電磁ロックスイッチ８６ａが設けられており、制御部６３からの信号が入力されると、ロッド８６ｂをラッチ８７と共に、装置本体２内側に移動自在になっている。【００８９】
このような構成のロック機構８６では、カバー４が開いた状態から、カバー４を閉じようとすると、カバー４のハンドル８の移動により、ハンドル８の下縁がラッチ８７の対向面８７ａを押圧し、ラッチ８７がスプリング８８の付勢力に抗して装置本体２内側に押し込まれる。【００９０】
そして、カバー４が略閉状態となって、ハンドル８の先端側に形成された孔部８ａがラッチ８７の略先端に達すると、ラッチ８７は、ハンドル８の孔部８ａからスプリング８８の付勢力により外側に向けて突出される。【００９１】
これにより、ハンドル８の孔部８ａの係止面８ｂが、ラッチ８７の底面８７ｂに係止され、操作者が、カバー４を、例えば、ハンドル８を操作、或いは、操作ペダル１０を踏み込み操作しても開くことがないロック状態となる。【００９２】
このロック機構８６によるカバー４のロック状態は、操作者等により、操作パネル９からの解除（信号の）入力があった場合に、制御部６３が、ロッド８６ｂをラッチ８７と共に、装置本体２内側に移動することにより解除される。【００９３】
このように、本実施の第３形態によれば、ロック機構８６自身に操作者により、カバーが閉じられたときの閉状態の検出と、カバーのロック機能が行えるように構成したので、前述の第１形態の効果に加え、カバー４のロックに係る、ロック機構部６、７、及び、開閉検知部１０４を一つの装置で兼用でき、各処理もまとめて行うことができ、洗浄消毒行程の処理を、より簡素にすることができる。【００９４】
（実施の第４形態）
実施の第１形態および、第２形態では開放抑制部がロック部に作用する例を開示したが、実施の第４形態では開放制御部がカバー４を開閉するヒンジ３に作用する例を開示する。ただし、実施の第１形態、第２形態を適用な箇所については記載を省略する。【００９５】
ヒンジが単純なかみ合わせにより作られている場合、開放制御部はヒンジ３の回動を阻害する部材である。この場合、ロック部によりカバーが閉状態となると共に、または、ロック部によりカバーが閉状態となってから所定時間後に、ヒンジに作用して回動を阻害する。【００９６】
ヒンジが国際公開ＷＯ２０１４／０４５７１８号公報の符号１０で示されるような電動アクチュエータを備えた開閉機構を有している場合、開放制御部が電動アクチュエータに電気的に接続される。この場合、ロック部によりカバーが閉状態となると共に、または、ロック部によりカバーが閉状態となってから所定時間後に、前記電動アクチュエータに作用して電動アクチュエータによるカバー部を洗浄槽に押し付ける力を発生させ続ける。【００９７】
本出願は、２０１４年７月７日に日本国に出願された特願２０１４−１３９８４６号を優先権主張の基礎として出願するものであり、上記の内容は、本願明細書、請求の範囲、図面に引用されたものである。
【要約】
制御部６３は、開閉検知部１０４によりカバー４が閉じられたことが検出された際に、ロック機構６の電磁ロックスイッチ６ａに信号出力し、通常のハンドル８操作、或いは、操作ペダル１０の踏み込み操作ではカバー４が開けられない状態に開閉を抑制する。その後、操作者が操作パネル９を操作して洗浄消毒等の行程の開始を入力すると、制御部６３は、入力された行程を、洗浄消毒部１０６を作動させて所定に実行させる。こうして洗浄消毒検知部１０５により洗浄消毒等の行程の完了が検知されると、制御部６３は、ロック機構６によるカバー４の開閉の抑制を解除して、操作パネル９に洗浄消毒等の行程の完了を表示する。【図１】
0005889492.tif 000002
【図２】
0005889492.tif 000003
【図３】
0005889492.tif 000004
【図４】
0005889492.tif 000005
【図５】
0005889492.tif 000006
【図６】
0005889492.tif 000007
【図７】
0005889492.tif 000008
【図８】
0005889492.tif 000009